(57)【特許請求の範囲】
【請求項１】
アンテナ、制御回路、前記制御回路に接続するメモリ、および有線通信ポートを含む無線通信モジュールと、当該無線通信モジュールと前記有線通信ポートを介して接続された処理部と、前記アンテナおよび前記制御回路を電気的に接続あるいは遮断するスイッチと、を備える電子機器であり、
前記スイッチは、前記電子機器の電源がＯＦＦのときにＯＮとなる電子機器。
【請求項２】
前記スイッチは、前記処理部によってＯＮあるいはＯＦＦされる請求項１記載の電子機器。
【請求項３】
アンテナ、制御回路、前記制御回路に接続するメモリ、および有線通信ポートを含む無線通信モジュールと、当該無線通信モジュールと前記有線通信ポートを介して接続された処理部と、前記アンテナおよび前記制御回路を電気的に接続あるいは遮断するスイッチと、を備える電子機器であり、
前記スイッチは、前記処理部によってＯＮあるいはＯＦＦされ、
前記電子機器の電源がＯＮされると、前記処理部は前記スイッチをＯＦＦする電子機器。
【請求項４】
前記処理部は、アンテナを介して外部からの読み出し要求を検知する請求項３に記載の電子機器。
【請求項５】
前記処理部は、前記読み出し要求を検知すると前記スイッチをＯＮする請求項４に記載の電子機器。
【請求項６】
前記制御回路は、前記読み出し要求に応じて、前記メモリに書き込まれた前記電子機器の動作情報を、前記スイッチを介してアンテナから送信する請求項５に記載の電子機器。
【請求項７】
前記処理部は、外部からの読み出しが終了すると、前記スイッチをＯＦＦする請求項５に記載の電子機器。
【請求項８】
前記制御回路は、前記読み出し要求に応じている期間は書き込み要求に応じない請求項６に記載の電子機器。
【請求項９】
前記メモリには設定情報が書き込まれ、
前記処理部は、前記設定情報を用いて前記電子機器を動作させる請求項１〜８のいずれか１項に記載の電子機器。
【請求項１０】
前記処理部は、前記電子機器の動作情報を、前記有線通信ポートを介して前記メモリに書き込む請求項１〜９のいずれか１項に記載の電子機器。
【請求項１１】
前記無線通信モジュールは、ＲＦＩＤモジュールである請求項１〜１０のいずれか１項に記載の電子機器。
【請求項１２】
請求項１〜１１のいずれか１項に記載の電子機器と、前記メモリへの上記電子機器の設定情報の書き込みおよび前記メモリからの前記電子機器の動作情報の読み出しを行うリーダライタとを備える無線通信システム。
【発明の詳細な説明】
【技術分野】
【０００１】
本発明は、電子機器、無線通信システムに関する。
【背景技術】
【０００２】
特許文献１には、有線通信ポートを有するＲＦＩＤモジュールを電子機器内に設け、ＲＦＩＤモジュールの有線通信ポートを電子機器の制御回路に接続する構成が開示されている。この構成によれば、ＲＦＩＤモジュールの記憶回路に電子機器の設定値を格納しておくことで、当該設定値を電子機器の制御に利用することができる。
【先行技術文献】
【特許文献】
【０００３】
【特許文献１】特開２００６−５６３３号公報（２００６年１月５日公開）
【特許文献２】特開２００９−５３７８８７号公報（２００９年１０月２９日公表）
【発明の概要】
【発明が解決しようとする課題】
【０００４】
前記構成のような、有線通信ポート付き無線通信モジュールを含む電子機器においては、電子機器の設定値を無線通信モジュールに無線で容易に書き込むことができるという便利さがある反面、適切でない設定値に起因する機器の誤動作を防ぐ方策が要求される。
【０００５】
本発明の目的の１つは、有線通信ポート付き無線通信モジュールを含む電子機器の誤動作を防ぐことである。
【課題を解決するための手段】
【０００６】
本電子機器は、アンテナ、制御回路、前記制御回路に接続するメモリ、および有線通信ポートを含む無線通信モジュールと、当該無線通信モジュールと前記有線通信ポートを介して接続された処理部と、前記アンテナおよび前記制御回路を電気的に接続あるいは遮断するスイッチとを備える。
【０００７】
前記構成によれば、アンテナおよび制御回路間のスイッチをＯＦＦすることによってメモリへの書き込みが不可となるため、有線通信ポート付き無線通信モジュールを含む電子機器の誤動作を防ぐことができる。
【０００８】
本電子機器では、前記スイッチは、前記電子機器の電源がＯＦＦのときにＯＮとなる構成とすることもできる。
【０００９】
本電子機器では、前記スイッチは、前記処理部によってＯＮあるいはＯＦＦされる構成とすることもできる。
【００１０】
本電子機器では、電子機器の筐体面に配された操作部を備え、前記スイッチは、前記操作部よってＯＮあるいはＯＦＦされる構成とすることもできる。
【００１１】
本電子機器では、前記電子機器の電源がＯＮされると、前記処理部は前記スイッチをＯＦＦする構成とすることもできる。
【００１２】
本電子機器では、前記処理部は、アンテナを介して外部からの読み出し要求を検知する構成とすることもできる。
【００１３】
本電子機器では、前記処理部は、前記読み出し要求を検知すると前記スイッチをＯＮする構成とすることもできる。
【００１４】
本電子機器では、前記制御回路は、前記読み出し要求に応じて、前記メモリに書き込まれた前記電子機器の動作情報を、前記スイッチを介してアンテナから送信する構成とすることもできる。
【００１５】
本電子機器では、前記処理部は、外部からの読み出しが終了すると、前記スイッチをＯＦＦする構成とすることもできる。
【００１６】
本電子機器では、前記制御回路は、前記読み出し要求に応じている期間は書き込み要求に応じない構成とすることもできる。
【００１７】
本電子機器では、前記メモリには設定情報が書き込まれ、前記処理部は、前記設定情報を用いて前記電子機器を動作させる構成とすることもできる。
【００１８】
本電子機器では、前記処理部は、前記電子機器の動作情報を、前記有線通信ポートを介して前記メモリに書き込む構成とすることもできる。
【００１９】
本電子機器では、前記無線通信モジュールは、ＲＦＩＤモジュールである構成とすることもできる。
【００２０】
本無線通信システムは、前記電子機器と、前記メモリへの上記電子機器の設定情報の書き込みおよび前記メモリからの前記電子機器の動作情報の読み出しを行うリーダライタとを備える。
【発明の効果】
【００２１】
有線通信ポート付き無線通信モジュールを含む電子機器の誤動作を防ぐことができる。
【図面の簡単な説明】
【００２２】
【図１】実施形態１の無線通信システムを示すブロック図である。
【図２】実施形態１の無線通信システムの設定作業を示すブロック図である。
【図３】実施形態１の設定作業を説明するフローチャートである。
【図４】実施形態１の設定作業の入力工程について説明する説明図である。
【図５】実施形態１の再設定（設定更新）作業を説明するフローチャートである。
【図６】実施形態１の再設定作業の入力工程について説明するフローチャートである。
【図７】実施形態１の再設定（設定更新）作業を説明する説明図である。
【図８】実施形態１の温度調節器の起動時の状態を示すブロック図である。
【図９】実施形態１の温度調節器の起動処理を示すフローチャートである。
【図１０】実施形態１の温度調節器の稼働時の状態を示すブロック図である。
【図１１】実施形態１の温度調節器の故障・保安時の状態を示すブロック図である。
【図１２】実施形態２の無線通信システムの設定作業を示すフローチャートである。
【図１３】実施形態３の無線通信システムの設定作業を示すフローチャートである。
【図１４】実施形態３の設定作業の入力工程について説明する説明図である。
【図１５】実施形態４の温度調節器を示すブロック図である。
【図１６】実施形態４の温度調節器の動作を示すフローチャートである。
【図１７】実施形態４の温度調節器の稼働時（スイッチＳＷＯＦＦ）の状態を示すブロック図である。
【図１８】実施形態４の温度調節器の稼働時（スイッチＳＷＯＮ）の状態を示すブロック図である。
【図１９】実施形態４の温度調節器の別構成を示すブロック図である。
【図２０】実施形態５の温度調節器の起動処理を示すフローチャートである。
【図２１】実施形態５の温度調節器の起動時の状態を示すブロック図である。
【図２２】実施形態５の温度調節器の稼働時の状態を示すブロック図である。
【発明を実施するための形態】
【００２３】
本発明の実施形態を図１〜図２２を用いて説明する。以下では、電子機器の一例として温度調節器について説明しているが、タイマやカウンタ、センサ、コントローラ等のＦＡ機器、医療機器等でもよく、特に限定されるものではない。また、無線通信の例としてＲＦＩＤシステム（Radio Frequency Identification System）を挙げているが、赤外線通信を用いたシステムなどでもよく、特に限定されるものではない。
【００２４】
〔実施形態１〕
図１に示すように、実施形態１にかかる無線通信システム２は、ＲＦＩＤモジュール（以下、ＲＦＩＤＭＤあるいはＭＤと略記することがある）１０を内蔵する温度調節器２０と、リーダライタ３０とを含む。
【００２５】
リーダライタ３０は、タッチパネル３２と、送受信部３８と、記憶部３６と、制御部３３と、電源部３４とを備える。
【００２６】
温度調節器２０は、交信回路８、メモリ６（例えば、ＦＲＡＭ（登録商標））、制御回路３、および有線通信ポート４を有するＲＦＩＤモジュール１０と、表示パネル２２と、記憶素子２６と、プロセッサ２３と、電源回路２４とを備え、交信回路８に含まれるアンテナと、リーダライタ３０の送受信部３８に含まれるアンテナとの間で無線交信（例えばＵＨＦ帯域）が行われる。すなわち、リーダライタ３０は、ＲＦＩＤモジュール１０のメモリ６に対する無線書き込みと、メモリ６からの無線読み出しが可能である。
【００２７】
ＲＦＩＤモジュール１０の制御回路３は、有線通信ポート４を介してプロセッサ２３および電源回路２４に接続されており、プロセッサ２３は、ＲＦＩＤモジュール１０のメモリ６に対する有線書き込みと、メモリ６からの有線読み出しが可能である。電源回路２４は、表示パネル２２、プロセッサ２３、記憶素子２６、およびＲＦＩＤモジュール１０に電力を供給する。なお、電源回路２４がＯＦＦの場合は、ＲＦＩＤモジュール１０はパッシブ型となり、リーダライタ３０との無線交信時に交信回路８で起電された電力が制御回路３およびメモリ６で利用される。
【００２８】
温度調節器２０は、ＲＦＩＤモジュール１０のメモリ６に温度調節器２０の型式ＴＡ２０が無線で書き込まれ、記憶素子２６に所定データ（後述）が格納された後に、ユーザ（例えば代理店）に向けて出荷される。
【００２９】
実施形態１では、図２〜図４のように、温度調節器２０の設定作業（ＲＦＩＤモジュールへの設定情報の書き込み）が行われる。この設定作業（仕向け作業とも呼ばれる）は、一般に、温度調節器２０を梱包箱５０に収めた状態（無給電状態）で、例えばユーザである代理店にて行われる。
【００３０】
まずユーザが、リーダライタ３０のタッチパネル３２への入力により、Ｘ社Ｙ工場Ａライン向け温度調節器（型式：ＴＡ２０）への設定情報の書き込みを指示する（ステップＳ１）。ステップＳ１では、図４（ａ）に示すように、ユーザは、温度調節器欄の「Ｘ社」をタッチ選択した後、Ｘ社Ｙ工場欄の「Ａライン向け（ＴＡ２０）」をタッチ選択する。
【００３１】
ステップＳ１におけるユーザからの指示を受けて、リーダライタ３０の制御部３３は、送受信部３８から、ＲＦＩＤモジュール１０（梱包箱５０内の温度調節器２０に内蔵）に対して情報提供要求信号を無線送信する（ステップＳ２）。
【００３２】
ＲＦＩＤモジュール１０では、制御回路３が、交信回路８を介してステップＳ２における情報提供要求信号を受け、メモリ６に書き込まれている温度調節器２０の型式（ＴＡ２０）を交信回路８からリーダライタ３０に無線送信する（ステップＳ３）。
【００３３】
リーダライタ３０では、送受信部３８からステップＳ３における型式（ＴＡ２０）を受けた制御部３３が、記憶部３６と協働して、ＲＦＩＤモジュール１０から無線送信された型式（ＴＡ２０）と、ユーザから入力された型式（ＴＡ２０）とを照合する（ステップＳ４）。
【００３４】
ステップＳ５（照合ＯＫ？）がＮＯ（両型式が合致していない）ならば、制御部３３は、タッチパネル３２に照合エラーを表示する（ステップＳ６）。一方、ステップＳ５（照合ＯＫ？）でＹＥＳ（両型式が合致する）ならば、制御部３３は、記憶部３６に格納された図４（ｂ）のようなテーブルから、Ｘ社Ｙ工場Ａラインおよび型式（ＴＡ２０）の組み合わせに対応する設定情報（設定ファイルＯＭＲＴＡ２０−ＸＹＡ１）を選択し、それを送受信部３８からＲＦＩＤモジュール１０に無線送信してメモリ６への書き込みを要求する（ステップＳ７）。
【００３５】
設定ファイルには、仕向け先に応じた目標値や使用センサの種類等の各種設定値が含まれている。また、設定ファイルの名称には、温度調節器２０の型式情報（ＴＡ２０）と、仕向け先情報（仕様情報）およびバージョン情報（ＸＹＡ１）とが含まれる。後述するように、前半部分の「ＯＭＲＴＡ２０」は識別情報であり、温度調節器起動時のパスワードとして機能する。
【００３６】
ＲＦＩＤモジュール１０では、制御回路３が、交信回路８を介してステップＳ７における設定情報（設定ファイルＯＭＲＴＡ２０−ＸＹＡ１）の書き込み要求を受け、これをメモリ６に書き込む（ステップＳ８）。書き込みが完了すると、制御回路３は、交信回路８からリーダライタ３０に書き込み完了信号を無線送信する（ステップＳ９）。
【００３７】
リーダライタ３０では、送受信部３８からステップＳ９における書き込み完了信号を受けた制御部３３が、設定情報の書き込みが正常終了した旨をタッチパネル３２に表示する（ステップＳ１０）。これにより、ユーザは設定作業（仕向け作業）が適切に行われたことを認識する。
【００３８】
なお、設定作業後に設定情報を更新したい場合や、設定ミスがあった場合には、図５および図６のように再設定作業を行う。
【００３９】
すなわち、ステップＳ１０１で、ユーザが、リーダライタ３０のタッチパネル３２への入力により、Ｘ社Ｙ工場Ａライン向け温度調節器（ＴＡ２０）への設定情報の再書き込みを指示する（図６（ａ）参照）。続くステップＳ１０２で、リーダライタ３０がＲＦＩＤモジュール１０に情報提供を無線で要求する。続くステップＳ１０３で、ＲＦＩＤモジュール１０が型式（ＴＡ２０）をリーダライタ３０に無線送信する。続くステップＳ１０４で、リーダライタ３０が、ユーザから入力された型式（ＴＡ２０）と、ＲＦＩＤモジュール１０から無線送信された型式とを照合する。
【００４０】
続くステップＳ１０５（照合ＯＫ？）がＮＯ（両型式が合致していない）ならば、リーダライタ３０のタッチパネル３２に照合エラーが表示される（ステップＳ１０６）。一方、ステップＳ１０５でＹＥＳ（両型式が合致する）ならば、リーダライタ３０が、図６（ｂ）のようなテーブルから、Ｘ社Ｙ工場Ａラインおよび型式の組み合わせに対応する新しい設定情報（設定ファイルＯＭＲＴＡ２０−ＸＹＡ２）を選択し、それをＲＦＩＤモジュール１０に無線送信してメモリ６への再書き込みを要求する（ステップＳ１０７）。これにより、ステップＳ１０８では、ＲＦＩＤモジュール１０のメモリ６の古い設定情報が削除され、新しい設定情報が書き込まれる（設定情報の更新）。
【００４１】
続くステップＳ１０９では、ＲＦＩＤモジュール１０がリーダライタ３０に再書き込み完了を無線で通知し、続くステップＳ１１０では、設定情報の再書き込みが正常終了した旨がタッチパネル３２に表示される。
【００４２】
また、設定作業後の納品検査等では、図７のように設定情報のステータスを確認する。
【００４３】
すなわち、ステップＳ２０１で、ユーザが、リーダライタ３０のタッチパネル３２への入力により、設定情報のステータスの確認を指示する。続くステップＳ２０２で、リーダライタ３０がＲＦＩＤモジュール１０に情報提供を無線で要求する。
【００４４】
続くステップＳ２０３（ＲＦＩＤモジュール１０に設定ファイルあり？）がＮＯ（設定ファイルなし）ならば、ＲＦＩＤモジュール１０が、未設定（設定ファイルなし）である旨をリーダライタ３０に無線送信し（ステップＳ２０４）、タッチパネル３２に未設定である旨が表示され（ステップＳ２０５）、図３の設定作業（設定情報の書き込み）に移行する。
【００４５】
一方、ステップＳ２０３がＹＥＳ（設定ファイルあり）ならば、ＲＦＩＤモジュール１０が設定ファイル名（ＯＭＲＴＡ２０−ＸＹＡ１）をリーダライタ３０に無線送信し（ステップＳ２０６）、リーダライタ３０は、設定ファイル名を、事前に用意された納品検査情報（データベース）に照会する（ステップＳ２０７）。ステップＳ２０７では、例えば、型式「ＴＡ２０」および仕向け先「ＸＹＡ」が納品検査情報と合致しているか、バージョン情報である末尾の「１」が納品検査情報と合致しているかを判定する。
【００４６】
続くステップＳ２０８（照会ＯＫ？）がＹＥＳならば、検品検査作業は正常に終了する。一方、ステップＳ２０８（照会ＯＫ？）がＮＯならば、タッチパネル３２に照会エラー不良である旨が表示され（ステップＳ２０９）、図５の再設定作業（設定情報の再書き込み）に移行する。
【００４７】
納品検査作業が終了した温度調節器は、図８および図９のようにして起動される。なお、起動前に、ヒータ内蔵炉４３を駆動するヒータ駆動回路４１と、ヒータ内蔵炉４３の温度を測定する温度センサ４２とが温度調節器２０に接続される。
【００４８】
ユーザが、温度調節器２０の電源回路２４をＯＮすると（ステップＳ３０１）、温度調節器２０のプロセッサ２３が、ＲＦＩＤモジュール１０のメモリ６に格納された設定ファイルからファイル名を読み出す（ステップＳ３０２）。
【００４９】
ステップＳ３０３では、プロセッサ２３が、パスワードとして機能するファイル名前半の識別情報「ＯＭＲＴＡ２０」が適切であるかを判断する。具体的には、このファイル名の前半を、出荷前に無線アクセス不可の記憶素子２６に格納された所定データに照会する。
【００５０】
ステップＳ３０４（ファイル名の前半は適切？）でＮＯ（ファイル名の前半が不適切）ならば、プロセッサ２３は、表示パネル２２に起動エラー（設定エラー）を表示する（ステップＳ３０５）。この場合、図５の再設定作業（設定情報の再書き込み）が必要となる。
【００５１】
ステップＳ３０４（ファイル名の前半は適切？）でＹＥＳ（ファイル名の前半が適切）ならば、プロセッサ２３は、ＲＦＩＤモジュール１０の設定ファイルから読み出した各種の設定設定値を用いて温度調節器２０の起動処理を行う（ステップＳ３０６）。
【００５２】
正常に起動した温度調節器２０は稼働状態に移行する。稼働時では、図１０のように、プロセッサ２３は、ＲＦＩＤモジュール１０のメモリ６の設定ファイルから必要な設定値を読み出してヒータ駆動回路４１を制御する。さらに、プロセッサ２３は、現在値（温度）を表示パネル２２に表示したり、ＲＦＩＤモジュール１０の制御回路３を介してメモリ６に現在値（温度）およびログを書き込んだりする。
【００５３】
また、リーダライタ３０からの要求を受けて、ＲＦＩＤモジュール１０の制御回路３が、メモリ６の現在値およびログを交信回路８からリーダライタ３０に送信する。リーダライタ３０では、送受信部３８を介して現在値およびログを受けた制御部３３が、記憶部３６と協働してこれらをクラウド１００等のネットワークに送信する。
【００５４】
温度調節器２０によれば、図１１のように電源回路２４がダウンしているとき（故障時や保安時）でも、リーダライタ３０からの要求を受けて、制御回路３がメモリ６内のログを交信回路８からリーダライタ３０に送信することができる。そして、リーダライタ３０がこのログをクラウド１００に送信することで、故障の原因等を速やかに解明することができる。
【００５５】
実施形態１によれば、リーダライタ３０は、ユーザから入力された、設定情報の書き込み対象の型式と、ＲＦＩＤモジュール１０から送られた温度調節器２０の型式とを照合し、両者が合致した場合に、前記型式に対応する設定情報を、ＲＦＩＤモジュール１０のメモリ６に無線で書き込む。
【００５６】
このように、設定情報を無線で書き込むことで、有線書き込みの場合と比較して、開梱および有線接続の作業が不要となるため、設定作業をはるかに効率的に行うことができる。そして、設定時にユーザの入力にミスがあったり（例えば、入力する型式を間違えたり）、書き込み対象がユーザの意図と異なっていたり（例えば、リーダライタの送受信部が意図せぬ方向を向いていたり）するような場合には、照合不良となるため、無線書き込みによる誤設定を防ぐことができる。これにより、ＲＦＩＤモジュール１０を備える温度調節器２０の誤動作を防ぐことができる。
【００５７】
また、何らかの理由により不適切な設定がなされた場合（誤った設定ファイルが書き込まれたり、設定ファイルが消えてしまったり、全く関係のないデータが書き込まれたりした場合）でも、ユーザにとって大きな手間とならない納品検査によってこれを見つけだすことができる。この納品検査をしなかったり、人為的なミスで納品検査をすり抜けたり、納品検査後に設定ファイルに問題が生じたりした場合でも、起動時に設定エラーが報知されるため、ＲＦＩＤモジュール１０を備える温度調節器２０の誤動作を防ぐことができる。
【００５８】
〔実施形態２〕
本実施形態では、図１２のように、温度調節器２０の設定作業を行うこともできる。まず、ステップＳ４０１で、ユーザが、リーダライタ３０のタッチパネル３２への入力によりＸ社Ｙ工場Ａライン向け温度調節器（ＴＡ２０）への設定情報の書き込みを指示する（図４（ａ）参照）。
【００５９】
続くステップＳ４０２で、リーダライタ３０が、Ｘ社Ｙ工場Ａラインおよび型式（ＴＡ２０）の組み合わせに対応する設定情報（設定ファイルＯＭＲＴＡ２０−ＸＹＡ１）を、図４（ｂ）のようなテーブルから選択し、ＲＦＩＤモジュール１０にその書き込みを無線で要求する（ステップＳ４０２）。これにより、ＲＦＩＤモジュール１０のメモリ６に設定情報が書き込まれる（ステップＳ４０３）。
【００６０】
続くステップＳ４０４では、ＲＦＩＤモジュール１０が、リーダライタ３０に、型式とともに書き込み完了を無線通知する。これを受けて、リーダライタ３０が、Ｓ４０１でユーザから入力された型式（ＴＡ２０）と、Ｓ４０４でＲＦＩＤモジュール１０から無線送信された型式とを照合する（ステップＳ４０５）。
【００６１】
続くステップＳ４０６（照合ＯＫ？）でＮＯ（合致しない）ならば、タッチパネル３２に照合エラーが表示され（ステップＳ４０７）、Ｓ４０６（照合ＯＫ？）でＹＥＳ（合致する）ならば、設定情報の書き込みが正常終了した旨がタッチパネル３２に表示される（ステップＳ４０８）。
【００６２】
図１２の実施形態２は、リーダライタ３０とＲＦＩＤモジュール１０との間のやりとりが少なくなるというメリットがある。
【００６３】
〔実施形態３〕
本実施形態では、図１３および図１４のように、温度調節器２０の設定作業を行うこともできる。まず、ステップＳ５０１で、ユーザが、リーダライタ３０のタッチパネル３２への入力によりＸ社Ｙ工場Ａライン向け機器への設定情報の書き込みを指示する（図１４（ａ）参照）。
【００６４】
続くステップＳ５０２で、リーダライタ３０がＲＦＩＤモジュール１０に情報提供を無線で要求する。これを受けて、ＲＦＩＤモジュール１０が型式（温度調節器ＴＡ２０）をリーダライタに３０無線送信する（ステップＳ５０３）。
【００６５】
続くステップＳ５０４では、リーダライタ３０が、Ｘ社Ｙ工場Ａラインおよび型式（ＴＡ２０）の組み合わせに対応する設定情報（設定ファイルＯＭＲＴＡ２０−ＸＹＡ１）を、図１４（ｂ）のようなテーブルから選択し、ＲＦＩＤモジュール１０にその書き込みを無線で要求する（ステップＳ５０４）。これにより、ＲＦＩＤモジュール１０のメモリ６に設定情報が書き込まれる（ステップＳ５０５）。
【００６６】
続くステップＳ５０６では、ＲＦＩＤモジュール１０が、リーダライタ３０に、書き込み完了を無線通知し、設定ファイルの書き込みが正常終了した旨がタッチパネル３２に表示される（ステップＳ５０７）。
【００６７】
図１３の実施形態３は、ユーザは仕向け先（Ｘ社Ｙ工場Ａライン）だけを入力すればよく、機器の種類や型式を選択せずに済むため、設定作業が迅速に行えるというメリットがある。
〔実施形態４〕
本実施形態では、温度調節器２０を図１５のように構成することもできる。すなわち、ＲＦＩＤモジュール１０の交信回路８を、アンテナＡＮ（例えば、制御回路３と分離したアンテナ）とスイッチＳＷを含むように構成する。ここでは、制御回路３がスイッチＳＷを介してアンテナＡＮに接続され、交信回路８のアンテナＡＮおよびスイッチＳＷそれぞれがプロセッサ２３に接続されている。プロセッサ２３はスイッチＳＷの制御（ＯＮあるいはＯＦＦ）する。なお、プロセッサ２３は、スイッチＳＷの状態（ＯＮ・ＯＦＦ）に関わりなくリーダライタ３０からの読み出し要求をアンテナＡＮから受けることができる。
【００６８】
スイッチＳＷは、温度調節器２０の電源がＯＦＦのときにＯＮとなるノーマリオン型であり、実施形態１〜３で説明した無給電状態での設定（ＲＦＩＤモジュール１０への設定ファイルの書き込み）のときはＯＮとなっている。
【００６９】
図１５の温度調節器２０は、例えば、図１６〜図１８のように動作する。すなわち、ステップＳ６０１で温度調節器２０の電源がＯＮされると、温度調節器２０のプロセッサ２３がスイッチＳＷをＯＦＦする（ステップＳ６０２）。これにより、リーダライタ３０によるメモリ６への書き込みが禁止される。
【００７０】
ステップＳ６０３で温度調節器２０が正常に起動すると、プロセッサ２３は、ＲＦＩＤモジュール１０のメモリ６の設定ファイルから読み出した各種設定値を用いてヒータ駆動回路４１を制御し、ＲＦＩＤモジュール１０のメモリ６に現在値（温度）およびログを書き込む（図１７参照）。
【００７１】
その後、ステップＳ６０４（リーダライタ３０から読み出し要求あり？）に進み、ステップＳ６０４でＹＥＳ（プロセッサ２３がリーダライタ３０からの読み出し要求を検知した）ならば、プロセッサ２３が、スイッチＳＷをＯＮし（ステップＳ６０５）、読み出し要求に応じた制御回路３がメモリ６の現在値やログをリーダライタ３０に送信する（図１８参照）。これにより、現在値やログがリーダライタ３０に読み出される（ステップＳ６０６）。そして、リーダライタ３０の読み出しが終了すれば（ステップＳ６０７でＹＥＳ）、プロセッサ２３がスイッチＳＷをＯＦＦし（ステップＳ６０８）、ステップＳ６０４に戻る。
【００７２】
実施形態４では、温度調節器２０の稼働中は、リーダライタ３０の読み出し期間以外はスイッチＳＷがＯＦＦとなり、リーダライタ３０によるメモリ６への書き込みを防ぐことができる。また、ＲＦＩＤモジュール１０では、リーダライタ３０によるメモリ６からの読み出し期間は、メモリ６への書き込みができない。したがって、温度調節器２０の稼働中は、ＲＦＩＤモジュール１０のメモリ６への書き込みが実質的にできなくなり、温度調節器２０が稼働中にメモリ６の設定ファイルが誤って書き換えられ、温度調節器２０が誤動作するといった事態を回避することができる。なお、スイッチＳＷは、温度調節器２０の電源がＯＦＦのときにＯＮとなっているため、実施形態１〜３で説明した、メモリ６への設定情報の書き込みが可能である。
【００７３】
なお、実施形態４のスイッチＳＷは、図１５の構成に限られず、図１９に示すような、表示パネル２２の周辺（温度調節器２０の筐体面）に設けられた操作ボタン６０によってユーザが直接ＯＮ／ＯＦＦするような構成でも構わない。この場合、必要に応じて（例えば、近くの機器に対してリーダライタによる書き込みを行う場合に）、温度調節器２０の操作ボタンによってスイッチＳＷをＯＦＦすることで、別の機器に対する書き込みが誤って温度調節器２０になされるといった事態を回避することができる。
【００７４】
〔実施形態５〕
本実施形態では、温度調節器２０を図２０〜図２２のように構成することもできる。
【００７５】
図２０に示すように、ステップＳ７０１で温度調節器２０の電源がＯＮされると、温度調節器２０のプロセッサ２３が、ＲＦＩＤモジュール１０のメモリ６に格納された設定ファイルからファイル名を読み出し（ステップＳ７０２）、識別情報であり、パスワードとして機能するファイル名の前半「ＯＭＲＴＡ２０」が適切であるかを判断する（ステップＳ７０３）。
【００７６】
続くステップＳ７０４（ファイル名の前半は適切？）でＹＥＳ（適切）ならば、ステップＳ７０９（温度調節器２０の記憶素子２６に設定ファイルあり？）に進み、ステップＳ７０９でＮＯならば、図２０および図２１に示すように、プロセッサ２３が、ＲＦＩＤモジュール１０のメモリ６の設定ファイルを新規ファイルとして、無線アクセス不可の記憶素子２６に転送し（ステップＳ７１２）、記憶素子２６の設定ファイルから必要な設定値を読み出して温度調節器２０を起動する（ステップＳ７１３）。
【００７７】
ステップＳ７０９でＹＥＳならば、プロセッサ２３が、バージョン情報（ファイル名の末尾）に基づいてＲＦＩＤモジュール１０の設定ファイルが新規なファイルか否かを判断し（ステップＳ７１０）、ステップＳ７１０でＹＥＳ（新規）ならば、図２０および図２１に示すように、プロセッサ２３が、ＲＦＩＤモジュール１０の設定ファイルを更新ファイルとして記憶素子２６に転送して旧設定ファイルと置き換え（ステップＳ７１１）、記憶素子２６の設定ファイルから必要な設定値を読み出して温度調節器２０を起動する（ステップＳ７１３）。
【００７８】
ステップＳ７１０でＮＯ（新規な設定ファイルでない）ならば、プロセッサ２３は、設定ファイルの転送をせず、記憶素子２６の設定ファイル（前に転送されたもの）から必要な設定値を読み出して温度調節器２０を起動する（ステップＳ７１３）。
【００７９】
なお、ステップＳ７０４（ファイル名の前半は適切？）でＮＯ（不適切）ならば、ステップＳ７０７（記憶素子２６に設定ファイルあり？）に進み、ステップＳ７０７でＹＥＳ（設定ファイルあり）ならば、記憶素子２６の設定ファイル（前に転送されたもの）から必要な設定値を読み出して温度調節器２０を起動する（ステップＳ７１３）。一方、ステップＳ７０７でＮＯ（設定ファイルなし）ならば、表示パネル２２に起動エラーを表示し（ステップＳ７０８）、再設定作業（図５参照）に移行する。
【００８０】
温度調節器２０は、正常に起動すると、図２２のように、プロセッサ２３は、温度調節器２０の記憶素子２６の設定ファイルから必要な設定値を読み出してヒータ駆動回路４１を制御し、制御回路３を介してＲＦＩＤモジュール１０のメモリ６に現在値（温度）およびログを書き込む。
【００８１】
そして、リーダライタ３０から現在値やログ（動作情報）の読み出し要求を受けた場合には、制御回路３が、メモリ６の現在値（温度）やログを、交信回路８からリーダライタ３０に向けて送信する。リーダライタ３０は、温度調節器２０から送られた現在値やログをネットワーク（クラウド１００等）に送ることもできる。
【００８２】
実施形態５の温度調節器２０では、起動時に、プロセッサ２３がメモリ６の設定ファイルを無線アクセス不可の記憶素子２６に転送して起動処理を行い、稼働中は記憶素子２６の設定ファイルから必要な設定値を読み出すため、温度調節器２０の稼働中にメモリ６の設定ファイルが誤って書き換えられたとしても、温度調節器２０の誤動作を防ぐことができる。
【００８３】
〔まとめ〕
前記各実施形態に記載の型式（型式情報）は、電子機器の種類を特定するための情報であり、型式そのものであってもよいし、通し番号などから特定されるものであってもよい。また、仕様情報は、仕向け先の情報であってもよいし、型式の細分化された下位の型式の情報であってもよい。また、識別情報（上述の例ではＯＭＲＴＡ２０）は、設定情報を識別する（上述の例ではオムロン社製温度調節器ＴＡ２０用の設定ァイルを示す）ための情報であり、パスワードとしても機能しうる。
【００８４】
以上のように、本無線通信システムは、有線通信ポートおよびメモリを有する無線通信モジュールと、当該無線通信モジュールと前記有線通信ポートを介して接続された処理部とを含む電子機器と、前記無線通信モジュールと無線交信可能なリーダライタとを備えた無線通信システムであって、前記無線通信モジュールのメモリには前記電子機器の型式が記憶されており、前記リーダライタは、ユーザから入力された、設定情報の書き込み対象の型式と、前記無線通信モジュールから送られた前記電子機器の型式とを照合し、両者が合致した場合に、前記型式に対応する設定情報を、前記無線通信モジュールのメモリに無線で書き込む。すなわち、両者が合致しない照合不良の場合は、リーダライタによる設定情報の無線書き込みを行わない。
【００８５】
このように、設定情報を無線で書き込むことで、有線書き込みの場合と比較して、開梱および有線接続の作業が不要となるため、設定作業をはるかに効率的に行うことができる。
【００８６】
そして、ユーザの入力にミスがあったり（例えば、入力する型式を間違えたり）、書き込み対象がユーザの意図と異なっていたり（例えば、リーダライタが意図せぬ方向を向いていたり）するような場合には、照合不良となるため、無線書き込みによる誤設定を防ぐことができる。これにより、無線通信モジュールを備える電子機器の誤動作を防ぐことができる。
【００８７】
本無線通信システムは、有線通信ポートおよびメモリを有する無線通信モジュールと、当該無線通信モジュールと前記有線通信ポートを介して接続された処理部とを含む電子機器と、前記無線通信モジュールと無線交信可能なリーダライタとを備えた無線通信システムであって、前記無線通信モジュールのメモリには前記電子機器の型式が記憶されており、前記リーダライタは、ユーザから書き込み対象の型式が入力されると、当該書き込み対象の型式に対応する設定情報を前記無線通信モジュールのメモリに無線で書き込んだ後、書き込みに応じて無線通信モジュールから無線送信された前記電子機器の型式と、前記ユーザから入力された、前記書き込み対象の型式とを照合し、両者が合致した場合に書き込みが正常に終了したことを報知する。
【００８８】
この構成でも、ユーザの入力にミスがあったり（例えば、入力する型式を間違えたり）、書き込み対象がユーザの意図と異なっていたり（例えば、リーダライタが意図せぬ方向を向いていたり）するような場合には、照合不良がユーザに報知されるため、無線書き込みによる誤設定を防ぐことができる。これにより、無線通信モジュールを備える電子機器の誤動作を防ぐことができる。
【００８９】
本無線通信システムでは、有線通信ポートおよびメモリを有する無線通信モジュールと、当該無線通信モジュールと前記有線通信ポートを介して接続された処理部とを含む電子機器と、前記無線通信モジュールと無線交信可能なリーダライタとを備えた無線通信システムであって、前記無線通信モジュールのメモリには前記電子機器の型式が記憶されており、前記リーダライタは、ユーザから入力された仕様情報と、前記無線通信モジュールから無線送信された前記電子機器の型式との組み合わせに対応する設定情報を選択して前記無線通信モジュールのメモリに無線で書き込む。
【００９０】
この構成では、ユーザは電子機器の種別や型式を入力せずに済むため、入力ミスが減り、無線通信モジュールを備える電子機器の誤動作を低減することができる。また、迅速な設定処理が可能となる。
【００９１】
本無線通信システムでは、前記リーダライタは、ユーザから入力された仕様情報と前記無線通信モジュールから無線送信された前記電子機器の型式との組み合わせに対応する前記設定情報を選択して前記無線通信モジュールのメモリに書き込む構成とすることもできる。
【００９２】
本無線通信システムでは、前記設定情報には識別情報が含まれており、前記電子機器の処理部は、前記識別情報が適切である場合にのみ、前記設定情報を用いて前記電子機器の起動処理を行う構成とすることもできる。
【００９３】
本無線通信システムでは、前記電子機器は無線によるアクセスができない記憶素子を備え、前記処理部は、前記識別情報を前記記憶素子の所定データに照会することで当該識別情報の適否を判断する構成とすることもできる。
【００９４】
本無線通信システムでは、前記設定情報には、前記型式の情報と前記仕様情報とが含まれている構成とすることもできる。
【００９５】
本無線通信システムでは、前記電子機器の無線通信モジュールは、リーダライタからの無線での要求に応じて、前記設定情報が書き込まれていない場合にはその旨を、前記設定情報が書き込まれている場合には、当該設定情報に含まれる前記型式の情報および前記仕様情報を前記リーダライタに無線送信する構成とすることもできる。
【００９６】
本無線通信システムでは、前記設定情報には、さらにバージョン情報が含まれ、前記電子機器の無線通信モジュールは、前記設定情報が書き込まれている場合には、当該設定情報に含まれる前記バージョン情報も前記リーダライタに無線送信する構成とすることもできる。
【００９７】
本無線通信システムでは、前記リーダライタは、前記型式の情報および前記仕様情報並びに前記バージョン情報を納品検査情報に照会し、その結果を報知する構成とすることもできる。
【００９８】
本無線通信システムでは、前記処理部は、電子機器の稼働時に、当該電子機器の動作情報を、有線通信ポートを介して前記無線通信モジュールのメモリに書き込む構成とすることもできる。
【００９９】
本無線通信システムでは、前記リーダライタは、前記動作情報を前記無線通信モジュールのメモリから無線で読み出す構成とすることもできる。
【０１００】
本無線通信システムでは、前記リーダライタはネットワークに接続可能であり、前記無線通信モジュールのメモリから無線で読み出した前記動作情報を前記ネットワークへ送信する構成とすることもできる。
【０１０１】
本無線通信システムでは、前記無線通信モジュールは、ＲＦＩＤモジュールである構成とすることもできる。
【０１０２】
本リーダライタは、有線通信ポートおよびメモリを有する無線通信モジュールと当該無線通信モジュールに前記有線通信ポートを介して接続された処理部とを含む電子機器と無線交信可能なリーダライタであって、ユーザから入力された、設定情報の書き込み対象の型式と、前記電子機器の無線通信モジュールから無線送信された当該電子機器の型式とを照合し、両者が合致した場合に、前記型式に対応する設定情報を前記無線通信モジュールのメモリに無線で書き込む。
【０１０３】
本リーダライタは、有線通信ポートおよびメモリを有する無線通信モジュールと当該無線通信モジュールに前記有線通信ポートを介して接続された処理部とを含む電子機器と無線交信可能なリーダライタであって、ユーザから書き込み対象の型式が入力されると、当該書き込み対象の型式に対応する設定情報を前記無線通信モジュールのメモリに無線で書き込んだ後、書き込みに応じて無線通信モジュールから無線送信された前記電子機器の型式と、前記ユーザから入力された、前記書き込み対象の型式とを照合し、両者が合致した場合に書き込みが正常に終了したことを報知する。
【０１０４】
本リーダライタは、有線通信ポートおよびメモリを有する無線通信モジュールと当該無線通信モジュールに前記有線通信ポートを介して接続された処理部とを含む電子機器と無線交信可能なリーダライタであって、前記リーダライタは、ユーザから入力された仕様情報と、前記無線通信モジュールから無線送信された前記電子機器の型式との組み合わせに対応する設定情報を前記無線通信モジュールのメモリに無線で書き込む。
【０１０５】
本電子機器は、有線通信ポートおよびメモリを有する無線通信モジュールと当該無線通信モジュールに前記有線通信ポートを介して接続された処理部とを含む電子機器であって、前記無線通信モジュールのメモリには設定情報が書き込まれており、前記処理部は、前記設定情報に含まれる識別情報の適否を判断し、適切である場合にのみ前記設定情報を用いて起動処理を行う。
【０１０６】
本電子機器では、前記電子機器は無線によるアクセスができない記憶素子を備え、前記処理部は、前記識別情報を前記記憶素子の所定データに照会することで当該識別情報の適否を判断する構成とすることもできる。
【０１０７】
本発明は上述した実施形態に限定されるものではなく、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０８】
２  無線通信システム
３  （ＲＦＩＤモジュールの）制御回路
４  （ＲＦＩＤモジュールの）有線通信ポート
６  （ＲＦＩＤモジュールの）メモリ
８  （ＲＦＩＤモジュールの）交信回路
１０  ＲＦＩＤモジュール
２０  温度調節器
２２  表示パネル
２３  プロセッサ
２４  （温度調節器の）電源回路
２６  （温度調節器の）記憶素子
３０  リーダライタ
３２  タッチパネル
３３  制御部
３４  （リーダライタの）電源部
３６  （リーダライタの）記憶部
３８  （リーダライタの）送受信部
４１  ヒータ駆動回路
４２  温度センサ
４３  ヒータ内蔵炉
ＡＮ  アンテナ
ＳＷ  スイッチ
【図１】
0006436118.tif 000002
【図２】
0006436118.tif 000003
【図３】
0006436118.tif 000004
【図４】
0006436118.tif 000005
【図５】
0006436118.tif 000006
【図６】
0006436118.tif 000007
【図７】
0006436118.tif 000008
【図８】
0006436118.tif 000009
【図９】
0006436118.tif 000010
【図１０】
0006436118.tif 000011
【図１１】
0006436118.tif 000012
【図１２】
0006436118.tif 000013
【図１３】
0006436118.tif 000014
【図１４】
0006436118.tif 000015
【図１５】
0006436118.tif 000016
【図１６】
0006436118.tif 000017
【図１７】
0006436118.tif 000018
【図１８】
0006436118.tif 000019
【図１９】
0006436118.tif 000020
【図２０】
0006436118.tif 000021
【図２１】
0006436118.tif 000022
【図２２】
0006436118.tif 000023